(57)【特許請求の範囲】
【請求項１】
電子機器の天面側から挿抜自在に構成されるトレイを具備し、トレイ方式で前記トレイにセットされた記録媒体を駆動する記録媒体の駆動装置と、前記記録媒体に記録されている情報を含む各種情報の情報処理を行う本体部とを有してなる電子機器であって、
前記電子機器の本体側には、回転式のピニオンが設けられ、
前記トレイ側には、前記トレイを前記記録媒体がセット可能な位置に引き出している時に前記ピニオンと噛み合うラックが形成され、
前記ラックは、前記トレイを前記記録媒体がセット可能な位置周辺に引き出している時にのみ前記ピニオンと噛み合うことを特徴とする電子機器。
【請求項２】
電子機器の天面側から挿抜自在に構成されるトレイを具備し、トレイ方式で前記トレイにセットされた記録媒体を駆動する記録媒体の駆動装置と、前記記録媒体に記録されている情報を含む各種情報の情報処理を行う本体部とを有してなる電子機器であって、
前記記録媒体の駆動装置の本体側には、回転式のピニオンが設けられ、
前記トレイ側には、前記トレイを前記記録媒体がセット可能な位置に引き出している時に前記ピニオンと噛み合うラックが形成され、
前記ラックは、前記トレイを前記記録媒体がセット可能な位置周辺に引き出している時にのみ前記ピニオンと噛み合うことを特徴とする電子機器。
【請求項３】
前記ピニオンは、前記トレイの引き出し部付近に配置され、
前記ラックは、前記トレイの挿入方向下流側にのみ形成されていることを特徴とする請求項１または２に記載の電子機器。
【請求項４】
前記トレイ側には、該トレイをガイドするためのガイドレールが設けられ、該ガイドレールに前記ラックが形成されていることを特徴とする請求項１から３のいずれか１項に記載の電子機器。
【請求項５】
前記トレイ側には、該トレイをガイドするためのガイドレールが設けられ、前記ガイドレールには、前記トレイの挿入方向に沿って棒状部材が設けられ、該棒状部材に前記ラックが形成されていることを特徴とする請求項１から４のいずれか１項に記載の電子機器。
【請求項６】
前記ピニオンには、本体側に設けられた設置用部材と係合するための溝が形成されており、その係合部分には粘性材料が塗布されていることを特徴とする請求項１から５のいずれか１項に記載の電子機器。
【請求項７】
前記粘性材料がグリースであることを特徴とする請求項６に記載の電子機器。
【請求項８】
前記トレイを、該トレイが閉じられた状態で前記電子機器の天面側に所定量だけ引き出す機構と、該機構を操作するための開閉スイッチが設けられていることを特徴とする請求項１から７のいずれか１項に記載の電子機器。
【請求項９】
前記本体部にて処理された音声情報を出力するためのスピーカを有することを特徴とする請求項１から８のいずれか１項に記載の電子機器。
【請求項１０】
前記本体部にて処理された情報を表示する表示部を有することを特徴とする請求項１から９のいずれか１項に記載の電子機器。
【請求項１１】
前記本体部にて処理される情報を外部から入力するためのキーボードを有することを特徴とする請求項１０に記載の電子機器。
【請求項１２】
前記電子機器の前面を構成する筐体によって形成され、前記キーボードを収納可能とする収納部を有し、
前記表示部は、前記収納部に前記キーボードが収納された際に前記キーボードと対向するように設けられたディスプレイであることを特徴とする請求項１１に記載の電子機器。
【請求項１３】
前記電子機器は、携帯可能であることを特徴とする請求項１から１２のいずれか１項に記載の電子機器。
【発明の詳細な説明】
【０００１】
【発明の属する技術分野】
本発明は、ＣＤ−ＲＯＭ、ＤＶＤ−ＲＯＭ等の記録媒体の駆動装置が収容される電子機器に関する。
【０００２】
【従来の技術】
従来より、ＣＤやＤＶＤ等の記録媒体の駆動装置が収容された携帯型の電子機器では、記録媒体のセット／取り出しを容易とするために種々の工夫がなされている。
【０００３】
例えば、記録媒体を上向きにセット／取り出し、前後にトレイ９１を出し入れする構成（図１２（ａ））や、記録媒体を前向きにセット／取り出し、横方向にトレイ９２を出し入れする構成（図１２（ｂ））や、電子機器の前面のカバー９３を開けて記録媒体を前向きにセット／取り出し、正面から出し入れする構成（図１２（ｃ））等がある。
【０００４】
【発明が解決しようとする課題】
しかしながら、上述したような従来の携帯型の電子機器においては、以下に記載するような問題点がある。
【０００５】
携帯型の電子機器は、携帯性や設置性を考慮すると、薄型化することが望まれているが、図１２（ａ）に示したように、電子機器の前面からトレイ９１を挿抜自在とする構成の場合は、電子機器の奥行きをトレイの奥行き以上にする必要があるため、電子機器の薄型化を図ることができない。
【０００６】
また、携帯型の電子機器は、記録媒体に記録されている音声情報を出力する際の音質を向上させることが望まれているが、図１２（ｂ）に示したように、電子機器の側面からトレイ９２を挿抜自在とする構成の場合は、スピーカが内蔵された空間の容積が小さく制限されるため、音質を向上させることが困難となる。
【０００７】
また、最近の携帯型の電子機器は、多機能化が進んでおり、例えば、インターネットに接続し、電子メールの送受信やホームページの閲覧やファイル操作等の情報処理を行うために、ディスプレイ等の表示部が搭載されたものがあるが、図１２（ｃ）に示したように、電子機器の前面のカバー９３を開閉自在とする構成の場合は、上記の表示部を設けるスペースを確保することができない。
【０００８】
本発明の目的は、スピーカが内蔵された空間や表示部を設けるスペースを確保することができ、かつ、電子機器の薄型化を図ることができる電子機器を提供することである。
【０００９】
【課題を解決するための手段】
上記目的を達成するために本発明は、
電子機器の天面側から挿抜自在に構成されるトレイを具備し、トレイ方式で前記トレイにセットされた記録媒体を駆動する記録媒体の駆動装置と、前記記録媒体に記録されている情報を含む各種情報の情報処理を行う本体部とを有してなる電子機器であって、
前記電子機器の本体側には、回転式のピニオンが設けられ、
前記トレイ側には、前記トレイを前記記録媒体がセット可能な位置に引き出している時に前記ピニオンと噛み合うラックが形成されていることを特徴とする。
【００１０】
また、上記目的を達成するために本発明の別の態様は、
電子機器の天面側から挿抜自在に構成されるトレイを具備し、トレイ方式で前記トレイにセットされた記録媒体を駆動する記録媒体の駆動装置と、前記記録媒体に記録されている情報を含む各種情報の情報処理を行う本体部とを有してなる電子機器であって、
前記記録媒体の駆動装置の本体側には、回転式のピニオンが設けられ、
前記トレイ側には、前記トレイを前記記録媒体がセット可能な位置に引き出している時に前記ピニオンと噛み合うラックが形成されていることを特徴とする。
【００１４】
また、前記ラックは、前記トレイを前記記録媒体がセット可能な位置周辺に引き出している時にのみ前記ピニオンと噛み合うことを特徴とする。
【００１５】
また、前記ピニオンは、前記トレイの引き出し部付近に配置され、
前記ラックは、前記トレイの挿入方向下流側にのみ形成されていることを特徴とする。
【００１６】
また、前記トレイ側には、該トレイをガイドするためのガイドレールが設けられ、該ガイドレールに前記ラックが形成されていることを特徴とする。
【００１７】
また、前記トレイ側には、該トレイをガイドするためのガイドレールが設けられ、前記ガイドレールには、前記トレイの挿入方向に沿って棒状部材が設けられ、該棒状部材に前記ラックが形成されていることを特徴とする。
【００１８】
また、前記ピニオンには、本体側に設けられた設置用部材と係合するための溝が形成されており、その係合部分には粘性材料が塗布されていることを特徴とする。
【００１９】
また、前記粘性材料がグリースであることを特徴とする。
【００２０】
また、前記トレイを、該トレイが閉じられた状態で前記電子機器の天面側に所定量だけ引き出す機構と、該機構を操作するための開閉スイッチとが設けられていることを特徴とする。
【００２１】
また、上記目的を達成するために本発明のさらに別の態様は、
電子機器の天面側から挿抜自在に構成されるトレイを具備し、トレイ方式で前記トレイにセットされた記録媒体を駆動する記録媒体の駆動装置と、前記記録媒体に記録されている情報を含む各種情報の情報処理を行う本体部とを有してなる電子機器であって、
前記トレイ側には、凸部が設けられ、
前記電子機器の本体側もしくは前記記録媒体の駆動装置の本体側には、前記トレイを前記記録媒体がセット可能な位置に引き出している時に前記凸部と係合する凹部が設けられていることを特徴とする。
【００２２】
また、前記ロック機構として、
前記トレイ側には、
前記トレイの引き出し部から一端が突出し、他端は前記トレイ内部に収容され、前記トレイの挿抜方向に移動可能とされる第１の部材と、
一端が、前記第１の部材の前記トレイ内部に収容される他端と連結され、他端が、前記トレイに設けられた穴より突出可能に構成され、前記トレイに設けられた突起部材において回転自在に軸支され、該回動状態に応じて前記穴からの突出状態が決定される第２の部材と、
前記第１の部材を、その一端が前記トレイの引き出し部から突出するように押圧する押圧部材とが設けられ、
前記電子機器の本体側には、前記トレイの前記穴から突出した前記第２の部材の他端が係合する凹部が設けられていることを特徴とする。
【００２３】
また、前記ロック機構として、
前記トレイ側には、
前記トレイの引き出し部から一端が突出し、他端は前記トレイ内部に収容され、前記トレイの挿抜方向に移動可能とされる第１の部材と、
一端が、前記第１の部材の前記トレイ内部に収容される他端と連結され、他端が、前記トレイに設けられた穴より突出可能に構成され、前記トレイに設けられた突起部材において回転自在に軸支され、該回動状態に応じて前記穴からの突出状態が決定される第２の部材と、
前記第１の部材を、その一端が前記トレイの引き出し部から突出するように押圧する押圧部材とが設けられ、
前記記録媒体の駆動装置の本体側には、前記トレイの前記穴から突出した前記第２の部材の他端が係合する凹部が設けられていることを特徴とする。
【００２４】
また、前記第１の部材は、複数の部材から構成されていることを特徴とする。
【００２５】
また、前記第２の部材は、複数の部材から構成されていることを特徴とする。
【００２６】
また、前記本体部にて処理された音声情報を出力するためのスピーカを有することを特徴とする。
【００２７】
また、前記本体部にて処理された情報を表示する表示部を有することを特徴とする。
【００２８】
また、前記本体部にて処理される情報を外部から入力するためのキーボードを有することを特徴とする。
【００２９】
また、前記電子機器の前面を構成する筐体によって形成され、前記キーボードを収納可能とする収納部を有し、
前記表示部は、前記収納部に前記キーボードが収納された際に前記キーボードと対向するように設けられたディスプレイであることを特徴とする。
【００３０】
また、前記電子機器は、携帯可能であることを特徴とする。
【００３１】
（作用）
上記のように構成された本発明においては、記録媒体の駆動装置が電子機器の天面側に配置され、記録媒体が記録媒体の駆動装置の天面側から挿抜可能としたため、スピーカが内蔵された空間や表示部を設けるスペースを十分に確保することが可能であり、かつ、電子機器の薄型化を図ることが可能である。
【００３２】
【発明の実施の形態】
以下に、本発明の電子機器の実施の形態について図面を参照して説明する。なお、以下の記載では、電子機器に収容される記録媒体の駆動装置が、ＣＤドライブ機構であるものとして説明するが、本発明は、ＤＶＤドライブ機構等、他の記録媒体の駆動装置にも適用可能である。
【００３３】
図１は、本発明の電子機器の実施の一形態を示す図であり、（ａ）は正面図、（ｂ）は背面図、（ｃ）は（ａ）に示した操作パネル部４０を開いた状態を示す図である。
【００３４】
図１に示すように本実施形態においては、電子機器の前面を構成する筐体１０ａに、電子機器の機能を選択したり、スピーカ３０ａ〜３０ｄを介して出力される音声情報を選択、操作するためのスイッチ部５０と、操作パネル部４０とが設けられている。
【００３５】
操作パネル部４０は、筐体１０ａによって電子機器の前面に形成された収納部１３に収納可能に構成され、一般的なパーソナルコンピュータと同様に所定の情報処理を行うための情報入力や、スピーカ３０ａ〜３０ｄを介して出力される音声情報の編集を行うためのキーボード４２と、キーボード４２が収納部１３に収納された際にキーボード４２と対向するように筐体１０ａに取り付けられ、情報が表示される表示部であるディスプレイ４１とから構成されている。なお、キーボード４２を用いての所定の情報処理とは、文書編集や、インターネット、電子メール等を利用する場合における情報入力及び操作等が挙げられる。
【００３６】
なお、スピーカ３０ａ〜３０ｄは、電子機器の前面を構成する筐体１０ａと電子機器の背面を構成する筐体１０ｂとが嵌合することによって形成された空間に、各種の情報処理を行う電子機器の本体部（不図示）とともに内蔵され、ディスプレイ４１や本体部の両側面に位置している。なお、本体部には、電源回路や、メモリ等の記憶回路や、公衆網を介して通信を行うための通信回路や、ディスプレイ４１における情報の表示、スピーカ３０ａ〜３０ｄにおける音声情報の出力状態を制御するための制御回路等が含まれている。
【００３７】
また、電子機器の背面を構成する筐体１０ｂには、他の装置（不図示）との信号のやりとりを行うための端子群６０と、任意の角度に固定可能に構成され、任意の角度に固定することにより、電子機器を携帯する場合に取っ手として機能するとともに、電子機器を机上等に置いて利用する場合に電子機器を立てるためのスタンドとして機能するスタンド１４とが設けられている。
【００３８】
また、電子機器の天面側で、ディスプレイ４１の背面側には、ＣＤドライブ機構２０が配置されており、ＣＤドライブ機構２０の天面側からＣＤを挿抜可能な構成となっている。これにより、スピーカ３０ａ〜３０ｄが内蔵された空間やディスプレイ４１を設けるスペースを確保することができ、かつ、電子機器の薄型化を図ることができる。
【００３９】
ＣＤドライブ機構２０としては、スロットイン方式とトレイ方式等があり、本実施形態には、どちらの方式も適用可能であるが、トレイ方式の方がスロットイン方式よりもＣＤドライブ機構２０を薄型化できる点で好ましい。
【００４０】
以下に、本発明の電子機器の実施例として、トレイ方式のＣＤドライブ機構を用いた場合の構成について説明する。
【００４１】
（第１の実施例）
図２は、本発明の第１の実施例に電子機器に用いられるＣＤドライブ機構を示す分解斜視図であり、ＣＤドライブ機構を背面から見た図を示している。また、図３は、図２に示したＣＤドライブ機構を収容した電子機器を示す図であり、ＣＤドライブ機構を背面から見た図を示している。また、図４は、図２及び図３に示したラック２７とピニオン７０との係合部分の拡大図である。また、図５は、図２〜図４に示したピニオン７０周辺の断面図である。
【００４２】
図２及び図３を参照すると、ＣＤドライブ機構２０は、電子機器の天面から挿抜自在に構成されたＣＤトレイ２３と、ＣＤトレイ２３にセットされたＣＤを駆動するＣＤドライブ本体２１とから構成される。なお、ＣＤドライブ本体２１は、電子機器の本体にインターフェース２２を介して電気的に接続され、電子機器の本体に固定されている。
【００４３】
ここで、電子機器の天面からＣＤトレイ２３を挿抜自在な構成とした場合、ＣＤをセット／取り出す際に、ＣＤをセット可能な位置までＣＤトレイ２３を引き出した状態でユーザがＣＤトレイ２３から手を離すと、ＣＤトレイ２３が自重により急速に閉じてしまうという課題がある。
【００４４】
そこで、本実施例では、次のような構成とすることで、ＣＤをセット／取り出す際に、ＣＤトレイ２３が自重により急速に閉じてしまうことを防止している。
【００４５】
ＣＤドライブ機構のＣＤトレイ２３側には、ＣＤトレイ２３をガイドするガイドレール２６が接着され、このガイドレール２６には、ラック２７が形成された棒状部材２５がＣＤトレイ２３の挿入方向に沿って設けられている。
【００４６】
電子機器の本体側には、ＣＤトレイ２３の引き出し部付近に配置され、ラック２７と互いに噛み合い、係合する回転式のピニオン７０が設けられている。図４に、ラック２７とピニオン７０とが互いに噛み合い、係合している状態を示す。
【００４７】
従って、ＣＤトレイ２３をＣＤがセット可能な位置に引き出した時には、ラック２７とピニオン７０とが互いに噛み合い、係合することで、ピニオン７０の回転トルクが発生する。このピニオン７０の回転トルクにより、ＣＤトレイ２３が自重で下方に落ちずらくなり、ＣＤトレイ２３が急速に閉じてしまうことが防止される。
【００４８】
また、ラック２７のうちＣＤトレイ２３をＣＤがセット可能な位置周辺に引き出した時にピニオン７０と係合する部分には、予め粘性材料としてグリースが塗布されている。このグリースによって、ラック２７に対するピニオン７０の回転トルクが更に増大するため、ＣＤトレイ２３が自重で下方に落ちずらくなる効果が促進される。
【００４９】
ベゼル２８には、ＣＤトレイ２３を開閉するための開閉ＳＷ２４が設けられており、ＣＤトレイ２３が閉じられている状態で開閉ＳＷ２４を押下すると、ＣＤトレイ２３が所定量だけ上方に引き出される。なお、開閉ＳＷ２４に関する機構については、既存の公知技術を用いれば良いため、説明を省略する。
【００５０】
図５を参照すると、ピニオン７０は、設置用部材７３に係合された状態でアーム７１に支点を中心に回転自在に取り付けられ、アーム７１は、電子機器の本体側に固定されたアーム７２に矢印方向に移動自在に取り付けられている。
【００５１】
なお、ピニオン７０の裏面には設置用部材７３の溝と係合するような溝が形成されており、その係合部分には、予め粘性材料としてグリースが塗布されている。このグリースによって、ピニオン７０と設置用部材７３との接触面積が多くなり、ピニオン７０の回転トルクが更に増大する。
【００５２】
以下に、図２〜図５に示した電子機器において、ＣＤトレイ２３を引き出し、ＣＤをセット／取り出す際の動作について図６を参照して説明する。
【００５３】
図６は、図２〜図５に示した電子機器において、ＣＤトレイ２３を引き出し、ＣＤをセット／取り出す際の動作を説明するための図である。
【００５４】
ＣＤトレイ２３が閉じられている状態（図６（ａ））で開閉ＳＷ２４を押下すると、ＣＤトレイ２３が上方に所定量だけ引き出される（図６（ｂ））。
【００５５】
この状態から、ユーザ自身が、ＣＤトレイ２３をＣＤがセット可能な位置まで上方に引き出し（図６（ｃ））、ＣＤのセット／取り出しを行う。
【００５６】
このとき、ラック２７とピニオン７０とは互いに噛み合い、係合しているため、ピニオン７０の回転トルクが発生している。このピニオン７０の回転トルクにより、ＣＤトレイ２３が自重で下方に落ちずらくなるため、ＣＤトレイ２３が急速に閉じてしまうことが防止される。また、ラック２７に塗布されたグリースによって、ピニオン７０の回転トルクが更に増大するため、ＣＤトレイ２３が下方に落ちずらくなる効果が促進される。
【００５７】
その後、ユーザは、ＣＤトレイ２３を下方に押し込み、ＣＤトレイ２３を閉じた状態に戻す。
【００５８】
なお、本実施例においては、ラック２７がＣＤドライブ機構の側面方向に向いている構成について説明したが、本発明の目的を達成できる範囲内であれば、ラック２７はいかなる方向を向いていても良く、例えば、ＣＤドライブ機構の背面方向に向いている構成であっても良い。
【００５９】
また、ラック２７が、ＣＤトレイ２３の挿入方向に沿って設けられた棒状部材２５に形成されている構成について説明したが、ラック２７は、ガイドレール２６に直接形成されていても良い。
【００６０】
また、ピニオン７０が電子機器の本体側に設けられている構成について説明したが、ピニオン７０は、ＣＤドライブ本体２１の内側に設けられていても良い。
【００６１】
（第２の実施例）
図７は、本発明の第２の実施例の電子機器に用いられるＣＤドライブ機構を示す分解斜視図であり、ＣＤドライブ機構を背面から見た図を示している。また、図８は、図７に示したＣＤドライブ機構を収容した電子機器を示す図であり、ＣＤドライブ機構を背面から見た図を示している。なお、図７及び図８において、図２及び図３と同様の部分については同一の符号を付し、説明を省略する。
【００６２】
第１の実施例では、ラック２７が、棒状部材２５においてＣＤトレイ２３の挿入方向のほぼ全体にわたって形成されているため、ＣＤトレイ２３が閉じられた状態で開閉ＳＷ２４を押下した時に、ラック２７とピニオン７０とが噛み合うことで発生するピニオン７０の回転トルクにより、ＣＤトレイ２３が開かなくなる可能性がある。
【００６３】
また、ＣＤをセット／取り出す際にＣＤトレイ２３が自重で急速に閉じてしまうことを防止するためには、少なくともＣＤトレイ２３をＣＤがセット可能な位置周辺に引き出した時に、ラック２７とピニオン７０とが互いに噛み合い、係合していれば良い。
【００６４】
そこで、本実施例では、ラック２７を、棒状部材２５においてＣＤトレイ２３の挿入方向下流側にのみ形成することにより、ＣＤトレイ２３をＣＤがセット可能な位置周辺に引き出した時にのみ、ラック２７とピニオン７０とが互いに噛み合うような構成としている。
【００６５】
これにより、ユーザが開閉ＳＷ２４によりＣＤトレイ２３を所定量だけ上方に引き出す際は、ラック２７とピニオン７０とが噛み合わず、ピニオン７０の回転トルクが発生しないため、ＣＤトレイ２３が開かなくなる可能性が低減される。
【００６６】
また、ＣＤトレイ２３をＣＤがセット可能な位置まで引き出した時には、ラック２７とピニオン７０とが互いに噛み合い、係合することになるため、ＣＤトレイ２３が自重で急速に閉じてしまうことを防止できるという効果が維持される。
【００６７】
以下に、図７及び図８に示した電子機器において、ＣＤトレイ２３を引き出し、ＣＤをセット／取り出す際の動作について図９を参照して説明する。
【００６８】
図９は、図７及び図８に示した電子機器において、ＣＤトレイ２３を引き出し、ＣＤをセット／取り出す際の動作を説明するための図である。
【００６９】
ＣＤトレイ２３が閉じられている状態（図９（ａ））で開閉ＳＷ２４を押下すると、ＣＤトレイ２３が上方に所定量だけ引き出される（図９（ｂ））。
【００７０】
このとき、ラック２７とピニオン７０とは噛み合っていないため、ピニオン７０は、フリーな状態となり、ピニオン７０の回転トルクは発生していない。このため、開閉ＳＷ２４の押下時に、ピニオン７０の回転トルクにより、ＣＤトレイ２３が開かなくなる可能性が低減される。
【００７１】
この状態から、ユーザ自身が、ＣＤトレイ２３をＣＤがセット可能な位置まで引き出し（図９（ｃ））、ＣＤのセット／取り出しを行う。
【００７２】
このとき、ラック２７とピニオン７０とは互いに噛み合い、係合しているため、ピニオン７０の回転トルクが発生している。このピニオン７０の回転トルクにより、ＣＤトレイ２３が自重で下方に落ちずらくなるため、ＣＤトレイ２３が急速に閉じてしまうことが防止される。また、ラック２７に塗布されたグリースによって、ピニオン７０の回転トルクが更に増大するため、ＣＤトレイ２３が下方に落ちずらくなる効果が促進される。
【００７３】
その後、ユーザは、ＣＤトレイ２３を下方に押し込み、ＣＤトレイ２３を閉じた状態に戻す。
【００７４】
なお、本実施例においては、ラック２７がＣＤドライブ機構の側面方向に向いている構成について説明したが、本発明の目的を達成できる範囲内であれば、ラック２７はいかなる方向を向いていても良く、例えば、ＣＤドライブ機構の背面方向に向いている構成であっても良い。
【００７５】
また、ラック２７が、ＣＤトレイ２３の挿入方向に沿って設けられた棒状部材２５に形成されている構成について説明したが、ラック２７は、ガイドレール２６に直接形成されていても良い。
【００７６】
また、ピニオン７０が電子機器の本体側に設けられている構成について説明したが、ピニオン７０は、ＣＤドライブ本体２１の内側に設けられていても良い。
【００７７】
（第３の実施例）
図１０は、本発明の第３の実施例の電子機器に用いられるＣＤドライブ機構を示す図であり、（ａ）はＣＤトレイ８０がロックされた状態を示す図、（ｂ）はＣＤトレイ８０のロックが解除された状態を示している。また、図１１は、図１０に示したＣＤドライブ機構を収容した電子機器を示す図であり、（ａ）はＣＤトレイ８０がロックされた状態を示す図、（ｂ）はＣＤトレイ８０のロックが解除された状態を示している。なお、図１０及び図１１は、ＣＤドライブ機構を背面から見た図であり、図１０（ａ）及び（ｂ）は、図１１（ａ）及び（ｂ）とそれぞれ対応している。
【００７８】
図１０及び図１１を参照すると、本実施例においては、ＣＤトレイ８０をＣＤがセット可能な位置に引き出した時に、ＣＤトレイ８０を固定するためのロック機構が設けられている。
【００７９】
ロック機構として、ＣＤトレイ８０側には、ＣＤトレイ８０の引き出し部から一端が突出し、他端はＣＤトレイ８０内部に収容され、ＣＤトレイ８０の挿抜方向に移動可能とされる第１の部材であるリンク部材８１と、一端が、リンク部材８１のＣＤトレイ８０内部に収容される他端と連結され、他端が、ＣＤトレイ８０に設けられた穴８５より突出可能に構成され、ＣＤトレイ８０に設けられた突起部材８４において回転自在に軸支され、該回動状態に応じて穴８５からの突出状態が決定される第２の部材であるリンク部材８２と、リンク部材８１を、その一端がＣＤトレイ８０の引き出し部から突出するように押圧する押圧部材であるばね８３とが設けられている。また、電子機器の本体側には、穴８５から突出したリンク部材８２の他端が係合する凹部９０が設けられている。
【００８０】
なお、ＣＤトレイ８０側には、リンク部材８１，８２の移動方向をそれぞれガイドするガイド部材８６，８７が設けられ、リンク部材８１には、リンク部材８１の一端がＣＤトレイ８０の引き出し部から所定量以上突出しないようにガイド部材８８が形成されている。
【００８１】
本実施例においては、ＣＤトレイ８０を引き出す時には、リンク部材８１，８２の連結部分がトレイ引き出し方向に移動し、リンク部材８２の他端が穴８５から突出する方向に移動する。そして、ＣＤトレイ８０をＣＤがセット可能な位置に引き出した時には、リンク部材８２の他端が穴８５から突出して凹部９０に係合し、これにより、ＣＤトレイ８０がロックされる。
【００８２】
一方、ＣＤトレイ８０のロックを解除する時には、リンク部材８１を押下することで、リンク部材８１，８２の連結部分がトレイ挿入方向に移動し、リンク部材８２の他端が凹部９０とは反対方向に移動し、これにより、リンク部材８２の他端がと凹部９０との係合が解除される。
【００８３】
なお、本実施例においては、リンク部材８１，８２が一つの部材からなる構成について説明したが、リンク部材８１，８２のそれぞれは、複数の部材から構成されていても良い。
【００８４】
【発明の効果】
以上説明したように本発明においては、記録媒体の駆動装置が電子機器の天面側に配置され、記録媒体が記録媒体の駆動装置の天面側から挿抜可能な構成としたため、スピーカが内蔵された空間や表示部を設けるスペースを十分に確保することができ、かつ、電子機器の薄型化を図ることができる。このため、スピーカの容積を大きくすることができ、かつ、高音質の音声情報を出力するスピーカを設置することができる。
【００８５】
また、記録媒体の駆動装置を、トレイ方式で記録媒体のセットを行う構成とした場合には、スロットイン方式よりも記録媒体の駆動装置を薄型化できるため、電子機器の更なる薄型化を図ることができる。
【００８６】
ただし、トレイ方式の記録媒体の駆動装置を用いる場合、記録媒体をセット／取り出す際に、トレイが自重により急速に閉じてしまうという課題がある。
【００８７】
そこで、本発明においては、トレイ方式の記録媒体の駆動装置を用いる場合、電子機器本体側に、回転式のピニオンを設け、トレイ側に、ピニオンと噛み合うラックを形成している。
【００８８】
これにより、記録媒体をセット／取り出すために、トレイを記録媒体がセット可能な位置に引き出した時には、トレイ側のラックと電子機器本体側のピニオンとが互いに噛み合うことになるため、ピニオンの回転トルクが発生し、このピニオンの回転トルクによりトレイが自重で下方に落ちずらくなり、トレイが急速に閉じてしまうことが防止される。
【００８９】
また、ラックのうちトレイを記録媒体がセット可能な位置周辺に引き出している時にピニオンと係合する部分に、粘性材料を塗布する構成とした場合には、この粘性材料によってピニオンの回転トルクを更に増大させることができる。
【００９０】
また、トレイを記録媒体がセット可能な位置周辺に引き出している時にのみラックとピニオンとが噛み合う構成とした場合には、上記の効果を維持することができるとともに、トレイを開閉スイッチにより電子機器の天面側から所定量だけ引き出した時にラックとピニオンとが噛み合わず、ピニオンの回転トルクが発生しないため、ピニオンの回転トルクによりトレイが開かなくなる可能性を低減することができる。この構成は、ピニオンをトレイの挿入口付近に設け、ラックをトレイ挿入方向下流側にのみ形成することで実現できる。
【図面の簡単な説明】
【図１】本発明の電子機器の実施の一形態を示す図であり、（ａ）は正面図、（ｂ）は背面図、（ｃ）は（ａ）に示した操作パネル部を開いた状態を示す図である。
【図２】本発明の第１の実施例の電子機器に用いられるＣＤドライブ機構を示す分解斜視図である。
【図３】図２に示したＣＤドライブ機構を収容した電子機器を示す図である。
【図４】図２及び図３に示したラックとピニオンとの係合部分の拡大図である。
【図５】図２〜図４に示したピニオン周辺の断面図である。
【図６】図２〜図５に示した電子機器において、ＣＤトレイを引き出し、ＣＤをセット／取り出す際の動作を説明するための図である。
【図７】本発明の第２の実施例の電子機器に用いられるＣＤドライブ機構を示す分解斜視図である。
【図８】図７に示したＣＤドライブ機構を収容した電子機器を示す図である。
【図９】図７及び図８に示した電子機器において、ＣＤトレイを引き出し、ＣＤをセット／取り出す際の動作を説明するための図である。
【図１０】本発明の第３の実施例の電子機器に用いられるＣＤドライブ機構を示す図であり、（ａ）はＣＤトレイがロックされた状態を示す図、（ｂ）はＣＤトレイのロックが解除された状態を示している。
【図１１】図１０に示したＣＤドライブ機構を収容した電子機器を示す図であり、（ａ）はＣＤトレイがロックされた状態を示す図、（ｂ）はＣＤトレイのロックが解除された状態を示している。
【図１２】従来の電子機器における記録媒体の駆動装置の収容方法を説明するための図である。
【符号の説明】
１０ａ，１０ｂ    筐体
１３    収納部
１４    スタンド
２０    ＣＤドライブ機構
３０ａ〜３０ｄ    スピーカ
４０    操作パネル部
４１    ディスプレイ
４２    キーボード
５０    スイッチ部
６０    端子群
２１    ＣＤドライブ本体
２２    インターフェース
２３    ＣＤトレイ
２４    開閉ＳＷ
２５    棒状部材
２６    ガイドレール
２７    ラック
２８    ベゼル
７０    ピニオン
７１，７２    アーム
７３    設置用部材
８０    ＣＤトレイ
８１，８２    リンク部材
８３    ばね
８４    突起部材
【図１】
0003832286.tif 000002
【図２】
0003832286.tif 000003
【図３】
0003832286.tif 000004
【図４】
0003832286.tif 000005
【図５】
0003832286.tif 000006
【図６】
0003832286.tif 000007
【図７】
0003832286.tif 000008
【図８】
0003832286.tif 000009
【図９】
0003832286.tif 000010
【図１０】
0003832286.tif 000011
【図１１】
0003832286.tif 000012
【図１２】
0003832286.tif 000013